(57)【要約】【課題】見栄えが良く、冷え予防・蒸れ防止に役立ち、穿き心地の良い女性用パンツを提供すること。【解決手段】パンツ本体の内側前面部・股間部・後面部にかけて二重構造の網体を取り付け、該網体の前面側と後面側に遠赤外線磁鉄鉱入りの薄いスポンジ布を夫々介装縫着し、網体の股間部該当個所に、当て物を取り付けできるポケットを設ける。【選択図】図２
0003137541.tif 000002
【実用新案登録請求の範囲】
【請求項１】
パンツ本体の内側前面部・股間部・後面部にかけて二重構造の網体を取り付け、該網体の前面側と後面側に遠赤外線磁鉄鉱入りの薄いスポンジ布を夫々介装縫着するとともに、網体の股間部該当個所に、別体の当て物を取り付け可能としたポケットを設けることを特徴とする女性用パンツ。
【請求項２】
パンツ本体の両サイドに、帯状のネット通気部を形成することを特徴とする請求項１記載の女性用パンツ。
【考案の詳細な説明】
【技術分野】
【０００１】  本考案は冷え防止等に役立つ女性用パンツに関する。
【背景技術】
【０００２】  女性特有の冷え、生理、失禁等に対応するために種々工夫を凝らしたパンツ類が従来から創案されている（例えば特許文献１〜３参照）。
【特許文献１】特許公開２００１−７０３３１号公報
【特許文献２】実開平５−９１６３２号公報
【特許文献３】登録実用新案第３０２１２３８号
【考案の開示】
【考案が解決しようとする課題】
【０００３】  特許文献１に記載のものは、吸収パッド収納ポケット付きパンツに関し、尿漏れ、生理時等に使用する吸収パッドが緊急時にも間に合うように、予備のパッドを収納ポケットに用意できることを主旨としたものである。この技術は、パンツに前ポケット、クロッチポケット、腹部ポケットを設けて吸収パッドを収納するものであるが、このように肌に直接するパンツに複数のポケットを設けてその中にパッドを収納すると当然ながら嵩張って感触が悪くなることは必然であり、ポケットがあるため厚みが出て下半身を温め、冷え性、生理痛の予防がなされるといっても現実性に乏しく、見た目も悪くなるなどの問題がある。【０００４】  特許文献２に記載のものは、失禁症状を持つ女性のためのパンツであり、伸縮性ある素材による本体に柔軟な防水布を裏打ちとし、股間部に合成樹脂ポリプレン網を縫着することによりパッドを使用可能としたことを主旨としている。この技術は尿漏れしても吸収できるパッドを取り付けできるため失禁症状を持つ女性には適しても健康な一般女性の対象とはなり得ない不利がある。【０００５】  特許文献３に記載のものは、股間部の布地が性器に食い込むのを防止する女性用肌着に関し、表布地と裏布地の間に、通気性の合成樹脂製当板を設けたことを主旨としている。この当板は、一面に複数の小突起を設けてずれないようにし、取り付け後は性器に布地が食い込まず、蒸れ防止ができることも特徴となっているが、近時布地も改良されてきてパンツ着用時に布地が性器に食い込んで難渋することも少ない現状では、わざわざ当板を取り付ける必要性に乏しいことが理解される。【０００６】  本考案はこのような従来技術に鑑みてなされたもので、女性特有の冷え予防・蒸れ予防ができ、失禁対策もできて穿き心地が良く、広く一般女性に着用可能な健康パンツを提供することを目的としている。
【課題を解決するための手段】
【０００７】  すなわち本考案は、パンツ本体の内側前面部・股間部・後面部にかけて二重構造の網体を取り付け、該網体の前面側と後面側に遠赤外線磁鉄鉱入りの薄いスポンジ布を夫々介装縫着するとともに、網体の股間部該当個所に、別体の当て物を取り付け可能としたポケットを設けることを特徴とする。【０００８】  また本考案は前記パンツ本体の両サイドに、帯状のネット通気部を形成することを特徴としている。
【考案の効果】
【０００９】  本案パンツに取り付けた網体の前面側と後面側に設けたスポンジ布が遠赤外線磁鉄鉱入りのため、遠赤外線と磁気作用がパンツ着用者の下腹と腰部の中心に及んでその部分の細胞を活性化させ血流促進に役立つので冷え予防に役立つとともに下の疾患などを未然に防止する効果がある。【００１０】  パンツ本体の布地は網体の存在により股間部等に直接することがなく、布材が性器に食い込んで穿き心地が悪くなったり、それによって肌がかぶれる等のおそれがなく、網体は十分な通気性を有していて蒸れることもない。【００１１】  網体には股間部個所にポケットを形成してあるため必要に応じて生理時の吸収体その他の当て物を簡単に取り付けでき、老若を問わず広範な使用に供することができる。【００１２】  パンツ本体の両サイドをネット通気部とすることで通気性が一層良好となり、夏場など蒸れやすい時期などは衛生的で穿き心地も快適となるうえ、ファッション性も高まって見栄えのよいものとなる。
【考案を実施するための最良の形態】
【００１３】  図面につき本考案を説明すると、図１〜図３に示すようにパンツ本体１０の前身頃内側の前面部１１、股間部１２、後身頃である後面部１３にかけて二重構造の網体２０が取り付けられている。そして網体２０の表裏間の前面側と後面側には遠赤外線磁鉄鉱入りの薄いスポンジ布３０・３１が介装されていて、その左右縁部が網体２０と一体的に縫着されている。網体２０は前後の縁部２１・２２をパンツ本体１０の上縁部１４に縫着し、中間部の左右縁部をパンツ本体１０に縫着するが、網体２０の全体がパンツ本体１０に固着されているものではない。【００１４】  網体２０内のスポンジ布３０・３１は、実開昭６３−５２９４０号に開示された技術に基づく製品が好適し、人体を熱源とする遠赤外線と細胞の分子活動の共鳴作用と、磁気帯より発する磁気による呼吸活動の活発化が相まって血行促進に役立つ機能を発揮する。スポンジ布３０には薄い伸縮布（不図示）が表面を覆っているためその正形状態が保持され且つ小孔が散穿されているので通気性も確保でき、しかもフィルム状のため軽量で違和感を覚えることはない。【００１５】  股間部１２の該当個所となる網体２０の前部と後部にポケット２３・２４を設けており別体の当て物４０を取り付けることができる。この当て物４０は生理時に使用する生理綿でも、高齢者や病人の尿漏れ防止パッドなど使用範囲に限定されない。したがって老若を問わず自己に適した当て物４０を取り付けできるが、取り付けない場合は柔軟な網体２０が肌に接するためパンツ布地が性器に食い込むこともない。【００１６】パンツ本体１０の素材については特に限定はなく、通常使われる綿、ポリウレタンなどを混成した柔軟で肌触りのよい伸縮性のあるものが適し、網体２０もソフト感にあふれた耐久性のある素材が用いられる。そして本案パンツを着用すると、網体２０が下腹、股間、腰部に接するするためパンツ本体１０の布地がそれらの個所に直接することはない。とりわけ下腹に密接する前面側と、腰部に密接する後面側には遠赤外線放射と磁気機能を持つスポンジ布３０・３１があって当該個所に対し有効に作用する。本案におけるスポンジ布の特性である遠赤外線は、直接からだに達する放射作用と皮下に十分侵入する深達力、及び共鳴吸収の特徴を有しているため人体の分子活動が活発となって血流が促進し、からだが内部から温まって生体物質を分子レベルで活性化させることができ、このため女性特有の冷え、生理不順などの諸症状の改善が所期される。【００１７】  すなわち夏場は冷房のきいた室内に長時間いるとどうしても下半身の冷えが著しくなってからだ全体に変調をきたしやすくなる懸念があるが、この点の不利がスポンジ布３０・３１の存在によって緩和される。また冬場は足元から冷えてくると腰回りを含め下半身全体にも冷えが及んで生体活動の低下をきたしやすくなるが、スポンジ布３０・３１の遠赤効果により下腹と腰部が温められて冷えが未然に防止できる。【００１８】  図示のようにパンツ本体１０の両サイドの中央に帯状のネット通気部５０を形成することで通気性が一層良好となる。ネット通気部５０はパンツ本体１０の上縁部１４から両サイドの下縁部１５にかけて設けられ、横幅は数センチで下方に向か��やゝ幅広となっている。夏場は高温となるため汗をかく度合いが高く、パンツの内部も蒸れて不快感を覚えることが多い。また加齢にしたがい汗は人体下方により多く噴き出すようになるためパンツ内は汗で汚損されやすくなるとともに肌にフィットしたパンツは熱の発散がスムースにいかず、そのまゝ着用を続けるとからだの変調をきたすことにもなりかねない。女性の場合、発汗に加えて生理や排尿を伴うとパンツ内は非衛生になりやすく、性器に及ぼす悪影響も看過できない問題が生ずるところ、通気性を良くするネット通気部５０の存在は頗る適切な対処法になるものといえる。更にネット通気部５０を形成することで平板なパンツ本体１０にファッション性を付与することもできて着用者の興趣感が満たされ、ネット通気部５０の色合いによってはパンツ本体１０にアクセサリーが備わったかの観を呈するといった副次的効果が得られる（図４参照）。【００１９】  しかしてパンツ主体１０に設けた網体２０内のスポンジ布３０・３１は、洗濯をしても遠赤外線輻射磁鉄鉱入りの素材は本来の機能を失うことがないためパンツを着用している限りその効果は持続される。また当て物４０は必要に応じて着用者の症状に適応する素材を取り付けることができるので、例えば上記スポンジ布３０・３１と同じものとすることも可能である。したがって人体肛門部にあてがうように前記スポンジ布と同材を取り付けると、遠赤外線によって肛門部の血流促進が可能となって鬱血状の患部が活性化したり、痔疾でない場合はその発生を未然に防止することもでき、更には性器や尿器の細胞活性化によりそれらの健全化が図られる。特に冬場、外で仕事をしたり冷えた室内で作業をしなければならない時には健康人であっても体調を崩しやすく、腰痛や痔疾の発生が避けられない場合もあり、そのような環境下にあって網体２０に形成したポケット２３・２４に、症状を緩和する素材からなる当て物４０を取り付けできることはこの上ない対策法となる。【００２０】  上記した実施形態においてパンツ本体１０は図示した形体に限られるものではなく、また網体２０、スポンジ布３０・３１の取付手段も一例であり、更にはネット通気部５０の横幅の大きさなども任意に設定できること勿論である。
【図面の簡単な説明】
【００２１】
【図１】本案パンツの正面図である。
【図２】本案パンツの平面図である。
【図３】本案パンツの要部を示す概略断面図である。
【図４】着用時の本案パンツの側面図である。
【符号の説明】
【００２２】  １０  パンツ本体
１１  前面部
１２  股間部
１３  後面部
１４  上縁部
１５  下縁部
２０  網体
２１・２２  縁部
２３・２４  ポケット
３０・３１  スポンジ布
４０  当て物
５０  ネット通気部
【図１】
0003137541.tif 000003
【図２】
0003137541.tif 000004
【図３】
0003137541.tif 000005
【図４】
0003137541.tif 000006